【手続補正書】
【提出日】平成15年6月17日(2003.6.17)
【手続補正１】
【補正対象書類名】明細書
【補正対象項目名】特許請求の範囲
【補正方法】変更
【補正の内容】
【特許請求の範囲】
【請求項１】
互に対向する第１の側面および第２の側面を有する基材を提供する工程、
第１の樹脂性材料を提供する工程、
該第１の樹脂性材料が流動し得るように該第１の樹脂性材料を加熱する工程、第１の長手軸を有し、該第１の長手軸の回りに回転可能な第１のプリンティングロールを提供する工程、
該第１のプリンティングロールと並置されてそれらの間に第１のニップを形成する第１のアンビルを提供する工程、
該第１のプリンティングロールおよび該第１のアンビルに対して移送速度で該基材を移送する工程、
該第１のプリンティングロールに該第１の樹脂性材料を堆積させる工程、
該第１のプリンティングロールを第１の周速度で該第１の長手軸の回りに回転させる工程であって、該第１の周速度は該移送速度より少なくとも約１００％大きく、それにより第１の速度差を生じさせるところの工程、および該第１の樹脂性材料を該第１のプリンティングロールから該基材の該第１の側面に適用する工程であって、該基材を該第１の樹脂性材料で含浸させるように該第１の速度差により該第１の樹脂性材料に剪断力が与えられ、それにより該第１の樹脂性材料を該基材に含浸させるところの工程
を具備し、
該基材からウエブが形成され、該ウエブは該第１の樹脂性材料で含浸された第１の側面を有する
液体不透過性でフラッシュ可能なウエブを製造するための方法。
【請求項２】
流動可能な第２の樹脂性材料を提供する工程、
第２の長手軸を有し、該第２の長手軸の回りに回転可能である第２のプリンティングロールを提供する工程、
該第２のプリンティングロールと並置されてそれらの間に第２のニップを形成する第２のアンビルを提供する工程、
該第２のプリンティングロールおよび該第２のアンビルに対して移送速度で該ウエブを移送する工程、
該第２のプリンティングロールに該第２の樹脂性材料を堆積させる工程、
該第２のプリンティングロールを第２の周速度で該第１の長手軸の回りに回転させる工程であって、該第２の周速度は該移送速度より少なくとも約１００％大きく、それにより第２の速度差を生じさせるところの工程、および該第２の樹脂性材料を該第２のプリンティングロールから該ウエブの該第１の側面に適用する工程であって、該ウエブを該第２の樹脂性材料で塗布するように該第２の速度差により該第２の樹脂性材料に剪断力が与えられ、それにより該第２の樹脂性材料を該基材に含浸させるところの工程
をさらに具備する請求項１に記載の方法。
【請求項３】
該第２の樹脂性材料を該第１の樹脂性材料が含浸される側面と同じ側面に含浸させる請求項２に記載の方法。
【請求項４】
該第２の速度差が、該第１の速度差と等しい請求項３に記載の方法。
【請求項５】
該第２の樹脂性材料を該第１の樹脂性材料が含浸される側面と反対の側面に含浸させる請求項２に記載の方法。
【請求項６】
該第２の速度差が、２００％から３５０％までである請求項２に記載の方法。
【請求項７】
該第２の樹脂性材料が、該第１の樹脂性材料と異なる請求項２に記載の方法。
【請求項８】
該第２の速度差が、該第１の速度差よりも少なくとも１００％大きい請求項２に記載の方法。
【請求項９】
該第１の樹脂性材料による塗布と該第２の樹脂性材料による塗布が、異なる塗布幅で適用される請求項２に記載の方法。
【請求項１０】
流動可能な第２の樹脂性材料を提供する工程、
第２の長手軸を有し、該第２の長手軸の回りに回転可能である第２のプリンティングロールを提供する工程、
該第２のプリンティングロールと並置されてそれらの間に第２のニップを形成する第２のアンビルを提供する工程、
該第２のプリンティングロールおよび該第２のアンビルに対して移送速度で該ウエブを移送する工程、
該第２のプリンティングロールに該第２の樹脂性材料を堆積させる工程、
該第２のプリンティングロールを第２の周速度で該第１の長手軸の回りに回転させる工程であって、該第２の周速度は該移送速度より少なくとも約１００％大きく、それにより第２の速度差を生じさせるところの工程、および該第２の樹脂性材料を該第２のプリンティングロールから該ウエブの該第２の側面に適用する工程であって、該ウエブを該第２の樹脂性材料で塗布するように該第２の速度差により該第２の樹脂性材料に剪断力が与えられるところの工程
をさらに具備する請求項１に記載の方法。
【請求項１１】
該第１の速度差が、３００％から３５０％までである請求項１に記載の方法。
【請求項１２】
該ウエブが、該提供された基材の厚さよりも大きくない厚さを有するように該樹脂を該基材に十分に含浸させる請求項１に記載の方法。
【請求項１３】
該不透過性でフラッシュ可能なウエブが、該提供された基材の引っ張り強さよりも少なくとも２倍大きい引っ張り強さを有する請求項１に記載の方法。
【請求項１４】
互に対向する第１の側面および第２の側面を有する基材を提供する工程、
流動可能な第１の樹脂性材料を提供する工程、
第１の長手軸を有し、該第１の長手軸の回りに回転可能であり、かつプリンティング帯域と非プリンティング帯域を有する第１のプリンティングロールを提供する工程、
該第１のプリンティングロールと並置されてそれらの間に第１のニップを形成する第１のアンビルを提供する工程、
該第１のプリンティングロールおよび該第１のアンビルに対して移送速度で該基材を移送する工程、
該第１のプリンティングロールに該第１の流動可能な樹脂性材料を堆積させる工程、
該第１のプリンティングロールを第１の周速度で該第１の長手軸の回りに回転させる工程であって、該第１の周速度は該移送速度と異なり、それにより第１の速度差を生じさせるところの工程、および該第１の樹脂性材料を該第１のプリンティングロールの該プリンティング帯域から該基材の該第１の側面に適用する工程であって、該基材を該第１の樹脂性材料で含浸させるように該第１の速度差により該第１の樹脂性材料に剪断力が与えられ、それにより該第１の樹脂性材料を該基材に含浸させるところの工程
を具備し、
該基材からウエブが形成され、該ウエブは、該第１のプリンティングロールの該プリンティング帯域により見当合わせされた位置において該第１の樹脂性材料で含浸された第１の側面を有する
液体不透過性でフラッシュ可能なウエブを製造するための方法。
【請求項１５】
流動可能な第２の樹脂性材料を提供する工程、
第２の長手軸を有し、該第２の長手軸の回りに回転可能であり、かつプリンティング帯域と非プリンティング帯域を有する第２のプリンティングロールを提供する工程、
該第２のプリンティングロールと並置されてそれらの間に第２のニップを形成する第２のアンビルを提供する工程、
該第２のプリンティングロールおよび該第２のアンビルに対して移送速度で該ウエブを移送する工程、
該第２の流動可能な樹脂性材料を該第２のプリンティングロールの該プリンティング帯域に堆積させる工程、
該第２のプリンティングロールを第２の周速度で該第１の長手軸の回りに回転させる工程であって、該第２の周速度は該移送速度と異なり、それにより第２の速度差を生じさせるところの工程、および該第２の樹脂性材料を該第２のプリンティングロールの該プリンティング帯域から該ウエブの該第１の側面に適用する工程であって、該ウエブを該第２の樹脂性材料で塗布するように該第２の速度差により該第２の樹脂性材料に剪断力が与えられ、それにより該第２の樹脂性材料を該基材に含浸させるところの工程
をさらに具備する請求項１４に記載の方法。
【請求項１６】
該基材を機械方向（縦方向）に移送し、該方法は、これと直交する機械横断方向（横方向）を有し、該第１の樹脂性材料で含浸された該印刷帯域は、横方向に並置されている請求項１４に記載の方法。
【請求項１７】
該基材を機械方向（縦方向）に移送し、該方法は、これと直交する機械横断方向（横方向）を有し、該第２の樹脂性材料で含浸された該印刷帯域は、横方向に並置されている請求項１４に記載の方法。
【請求項１８】
流動可能な第２の樹脂性材料を提供する工程、
第２の長手軸を有し、該第２の長手軸の回りに回転可能であり、かつプリンティング帯域と非プリンティング帯域を有する第２のプリンティングロールを提供する工程、
該第２のプリンティングロールと並置されてそれらの間に第２のニップを形成する第２のアンビルを提供する工程、
該第２のプリンティングロールおよび該第２のアンビルに対して移送速度で該ウエブを移送する工程、
該第２の流動可能な樹脂性材料を該第２のプリンティングロールの該プリンティング帯域に堆積させる工程、
該第２のプリンティングロールを第２の周速度で該第１の長手軸の回りに回転させる工程であって、該第２の周速度は該移送速度と異なり、それにより第２の速度差を生じさせるところの工程、および該第２の樹脂性材料を該第２のプリンティングロールの該プリンティング帯域から該ウエブの該第１の側面に適用する工程であって、該ウエブを該第２の樹脂性材料で塗布するように該第２の速度差により該第２の樹脂性材料に剪断力が与えられ、それにより該第２の樹脂性材料を該基材に含浸させるところの工程
をさらに具備する請求項１４に記載の方法。
【請求項１９】
該基材を機械方向（縦方向）に移送し、該方法は、これと直交する機械横断方向（横方向）を有し、該第１の樹脂性材料で含浸された該印刷帯域は、横方向に並置されている請求項１８に記載の方法。
【請求項２０】
該基材を機械方向（縦方向）に移送し、該方法は、これと直交する機械横断方向（横方向）を有し、該第２の樹脂性材料で含浸された該印刷帯域は、横方向に並置されている請求項１８に記載の方法。
【請求項２１】
（ａ）一時的湿潤強力樹脂を含むセルロース性繊維性基材、および
（ｂ）樹脂性材料から形成され、該基材の表面に固定され、該表面から外側に延びる複数の個別のフィブリルであって、それらの間の該表面の部分が少なくともわずかに露出するように該表面上で互いに少なくともわずかに離間して流体透過性、水分散性およびフラッシュ可能なウエブを提供するところの複数のフィブリル
を包含する流体透過性、水分散性およびフラッシュ可能なウエブ。
【請求項２２】
該セルロース性繊維性基材が、ティッシュを含む請求項２１に記載の流体透過性、水分散性およびフラッシュ可能なウエブ。
【請求項２３】
該基材が、複数の孔を含む請求項２１に記載の流体透過性、水分散性およびフラッシュ可能なウエブ。
【請求項２４】
該フィブリルが、耐水性樹脂性材料から形成される請求項２１に記載の流体透過性、水分散性およびフラッシュ可能なウエブ。
【請求項２５】
該樹脂性材料が、シリコーン樹脂を含む請求項２４に記載の流体透過性、水分散性およびフラッシュ可能なウエブ。
【請求項２６】
該基材が、親水性である請求項２１に記載の流体透過性、水分散性およびフラッシュ可能なウエブ。
【請求項２７】
該基材が、疎水性である請求項２１に記載の流体透過性、水分散性およびフラッシュ可能なウエブ。
【請求項２８】
該基材が親水性であり、該フィブリルが疎水性である請求項２１に記載の流体透過性、水分散性およびフラッシュ可能なウエブ。
【請求項２９】
該フィブリルが、平方インチ当たり３０００フィブリルないし平方インチ当たり５０００フィブリルの密度で提供される請求項２１に記載の流体透過性、水分散性およびフラッシュ可能なウエブ。
【請求項３０】
該一時的湿潤強力樹脂が、グリオキサール化されたポリアクリルアミド樹脂を包含する請求項２１に記載の流体透過性、水分散性およびフラッシュ可能なウエブ。
【請求項３１】
該基材が、平方インチ当たり２０個の孔ないし平方インチ当たり１１１個の孔を有する穿孔ティッシュを含む請求項２１に記載の流体透過性、水分散性およびフラッシュ可能なウエブ。
【請求項３２】
該基材が、孔を含まない請求項２１に記載の流体透過性、水分散性およびフラッシュ可能なウエブ。
【請求項３３】
該基材が、変化する表面形状を有する請求項２１に記載の流体透過性、水分散性およびフラッシュ可能なウエブ。
【請求項３４】
該基材が、均一な表面形状を有する請求項２１に記載の流体透過性、水分散性およびフラッシュ可能なウエブ。
【請求項３５】
該基材が、孔を含まない請求項３４に記載の流体透過性、水分散性およびフラッシュ可能なウエブ。
【請求項３６】
該基材が、不織材料を含む請求項２１に記載の流体透過性、水分散性およびフラッシュ可能なウエブ。
【請求項３７】
該フィブリルがマスキング剤を含む請求項２１に記載の流体透過性、水分散性およびフラッシュ可能なウエブ。
【請求項３８】
該フィブリルが、該基材の該表面から少なくとも０．００４インチ外側に延びている請求項２１に記載の流体透過性、水分散性およびフラッシュ可能なウエブ。
【請求項３９】
（ａ）一時的湿潤強力樹脂を含み、ティッシュを包含し、かつ複数の孔を含むセルロース性繊維性基材、および
（ｂ）耐水性樹脂性材料から形成され、該基材の表面に固定され、該表面から外側に延びる複数の個別のフィブリルであって、それらの間の該表面の部分が少なくともわずかに露出するように該表面上で互いに少なくともわずかに離間して流体透過性、水分散性およびフラッシュ可能なウエブを提供するところの複数のフィブリル
を包含する流体透過性、水分散性およびフラッシュ可能なウエブ。
【請求項４０】
（ａ）一時的湿潤強力樹脂を含み、親水性ティッシュを包含し、かつ複数の孔を含むセルロース性繊維性基材、および
（ｂ）疎水性の耐水性樹脂性材料から形成され、該基材の表面に固定され、該表面から外側に延びる複数の個別のフィブリルであって、それらの間の該表面の部分が少なくともわずかに露出するように該表面上で互いに少なくともわずかに離間して流体透過性、水分散性およびフラッシュ可能なウエブを提供するところの複数のフィブリル
を包含する流体透過性、水分散性およびフラッシュ可能なウエブ。